【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
複数色の可視的ドット表現が可能な画像表示手段と、
評価対象となる複数のサンプルのそれぞれに関連付けて各サンプルの属性に対応した複数の属性値を記憶する属性記憶手段と、
前記属性に関する検索条件を取得する検索条件取得手段と、
前記検索条件取得手段が取得した検索条件に基づいて、前記属性記憶手段の記憶内容から１又は複数のサンプルを抽出すると共に、抽出したサンプルのそれぞれに関連付けられた前記複数の属性値を前記属性記憶手段から取得する属性値取得手段と、
前記属性値取得手段が抽出したサンプルのそれぞれに関して、前記属性値取得手段が取得した前記複数の属性値に基づき、前記可視的ドット表現で用いられる複数色のいずれか１色を示す色表現値を算出する色表現値算出手段と、
前記色表現値算出手段が算出した前記色表現値が示す色のドットを、前記属性値取得手段が抽出したサンプルに関して前記画像表示手段に表示させるサンプル色表現手段と、
基準となるサンプルに関する前記複数の属性値を取得する基準値取得手段と、
前記基準値取得手段が取得した前記複数の属性値に基づいて、前記基準となるサンプルに対応する前記色表現値を、前記色表現値算出手段における計算方法と同じ計算方法に従って算出する基準値算出手段と、
前記基準値算出手段が算出した前記基準となるサンプルに対応する前記色表現値が示す色のドットを前記画像表示手段に表示させる基準色表現手段とを備えており、
前記複数の属性値が、前記可視的ドット表現で用いられる前記複数色を表現可能な所定数の色成分に、いずれの色成分にも少なくとも１つの属性値が割り当てられるように割り当てられており、
前記色表現値算出手段が、
前記色成分を示す色成分値を当該色成分に割り当てられた属性値に基づいて算出する色成分値算出手段を有し、当該色成分値算出手段が算出した色成分値から、１色を示す前記色表現値を前記サンプルごとに導出することを特徴とするサンプル評価システム。
【請求項２】
複数色の可視的ドット表現が可能な画像表示手段と、
評価対象となる複数のサンプルのそれぞれに関連付けて各サンプルの属性に対応した複数の属性値を記憶する属性記憶手段と、
前記可視的ドット表現で用いられる複数色のいずれか１色を示す色表現値と画像の形状を示す情報とを、前記サンプルに関連付けて前記属性記憶手段が記憶している前記複数の属性値に基づいて前記サンプルごとに取得する色表現値算出手段と、
前記色表現値算出手段が取得した前記色表現値が示す色のドットを含み、前記色表現値算出手段が取得した前記情報が示す形状を有する画像を、前記サンプルごとに前記画像表示手段に表示させるサンプル色表現手段とを備えており、
前記複数の属性値の一部が、前記可視的ドット表現で用いられる前記複数色を表現可能な所定数の色成分に、いずれの色成分にも少なくとも１つの属性値が割り当てられるように割り当てられており、
前記複数の属性値の残りのうち少なくとも一部が前記画像の形状に割り当てられており、
前記色表現値算出手段が、
前記色成分を示す色成分値を当該色成分に割り当てられた属性値に基づいて算出する色成分値算出手段を有し、当該色成分値算出手段が算出した色成分値から、１色を示す前記色表現値を前記サンプルごとに導出すると共に、前記画像の形状に割り当てられた属性値に基づいて前記情報を取得することを特徴とするサンプル評価システム。
【請求項３】
ネットワークを介して互いに接続されたサブシステム及びクライアント端末を備えており、
前記サブシステムが、
前記色成分値算出手段及び前記色表現値算出手段のいずれか、並びに、前記属性記憶手段を有し、前記サンプルに係る前記複数の属性値に基づいて前記色成分値算出手段が算出した前記色成分値、及び、前記サンプルに係る前記複数の属性値に基づいて前記色表現値算出手段が算出した前記色表現値の少なくともいずれかを前記クライアント端末に送信し、
前記クライアント端末が、
前記画像表示手段及び前記サンプル色表現手段を有し、前記サブシステムから受信した前記色成分値及び前記色表現値の少なくともいずれかに基づいて、前記サンプルに係る前記色表現値が示す色のドットを前記画像表示手段に表示させることを特徴とする請求項１又は２に記載のサンプル評価システム。
【請求項４】
前記サブシステムが、
前記色成分値及び前記色表現値のいずれかの数値範囲を示す情報を前記クライアント端末に送信することを特徴とする請求項３に記載のサンプル評価システム。
【請求項５】
請求項３又は４に記載のサンプル評価システムにおいて用いられるプログラムであって、
前記サブシステムを前記色成分値算出手段として機能させることを特徴とするプログラム。
【手続補正２】
【補正対象書類名】明細書
【補正対象項目名】０００６
【補正方法】変更
【補正の内容】
【０００６】
本発明のサンプル評価システムは、複数色の可視的ドット表現が可能な画像表示手段と、評価対象となる複数のサンプルのそれぞれに関連付けて各サンプルの属性に対応した複数の属性値を記憶する属性記憶手段と、前記属性に関する検索条件を取得する検索条件取得手段と、前記検索条件取得手段が取得した検索条件に基づいて、前記属性記憶手段の記憶内容から１又は複数のサンプルを抽出すると共に、抽出したサンプルのそれぞれに関連付けられた前記複数の属性値を前記属性記憶手段から取得する属性値取得手段と、前記属性値取得手段が抽出したサンプルのそれぞれに関して、前記属性値取得手段が取得した前記複数の属性値に基づき、前記可視的ドット表現で用いられる複数色のいずれか１色を示す色表現値を算出する色表現値算出手段と、前記色表現値算出手段が算出した前記色表現値が示す色のドットを、前記属性値取得手段が抽出したサンプルに関して前記画像表示手段に表示させるサンプル色表現手段と、基準となるサンプルに関する前記複数の属性値を取得する基準値取得手段と、前記基準値取得手段が取得した前記複数の属性値に基づいて、前記基準となるサンプルに対応する前記色表現値を、前記色表現値算出手段における計算方法と同じ計算方法に従って算出する基準値算出手段と、前記基準値算出手段が算出した前記基準となるサンプルに対応する前記色表現値が示す色のドットを前記画像表示手段に表示させる基準色表現手段とを備えており、前記複数の属性値が、前記可視的ドット表現で用いられる前記複数色を表現可能な所定数の色成分に、いずれの色成分にも少なくとも１つの属性値が割り当てられるように割り当てられており、前記色表現値算出手段が、
前記色成分を示す色成分値を当該色成分に割り当てられた属性値に基づいて算出する色成分値算出手段を有し、当該色成分値算出手段が算出した色成分値から、１色を示す前記色表現値を前記サンプルごとに導出する。また、別の観点におおいて、本発明のサンプル評価システムは、複数色の可視的ドット表現が可能な画像表示手段と、評価対象となる複数のサンプルのそれぞれに関連付けて各サンプルの属性に対応した複数の属性値を記憶する属性記憶手段と、前記可視的ドット表現で用いられる複数色のいずれか１色を示す色表現値と画像の形状を示す情報とを、前記サンプルに関連付けて前記属性記憶手段が記憶している前記複数の属性値に基づいて前記サンプルごとに取得する色表現値算出手段と、前記色表現値算出手段が取得した前記色表現値が示す色のドットを含み、前記色表現値算出手段が取得した前記情報が示す形状を有する画像を、前記サンプルごとに前記画像表示手段に表示させるサンプル色表現手段とを備えており、前記複数の属性値の一部が、前記可視的ドット表現で用いられる前記複数色を表現可能な所定数の色成分に、いずれの色成分にも少なくとも１つの属性値が割り当てられるように割り当てられており、前記複数の属性値の残りのうち少なくとも一部が前記画像の形状に割り当てられており、前記色表現値算出手段が、前記色成分を示す色成分値を当該色成分に割り当てられた属性値に基づいて算出する色成分値算出手段を有し、当該色成分値算出手段が算出した色成分値から、１色を示す前記色表現値を前記サンプルごとに導出すると共に、前記画像の形状に割り当てられた属性値に基づいて前記情報を取得する。
【手続補正３】
【補正対象書類名】明細書
【補正対象項目名】０００７
【補正方法】変更
【補正の内容】
【０００７】
また、本発明のプログラムは、本発明に係るサンプル評価システムを構成するサブシステムを前記色成分値算出手段として機能させる。
【手続補正４】
【補正対象書類名】明細書
【補正対象項目名】０００９
【補正方法】変更
【補正の内容】
【０００９】
また、本発明のプログラムによると、色表現値を構成する色成分値を算出し、システムに提供するようにサブシステムを機能させる。なお、当該プログラムの適用方法としては以下が考えられる。一例では、画像表示手段と接続された、又は画像表示手段を搭載した一のコンピュータとネットワークを介して接続された別のコンピュータに当該プログラムを実行させる。算出された色成分値又は色表現値は、上記別のコンピュータから上記一のコンピュータへとネットワークを介して送信される。別の一例では、画像表示手段と接続された、又は画像表示手段を搭載したコンピュータ自体に当該プログラムを実行させる。当該コンピュータは、算出された色成分値又は色表現値に基づいて画像表示手段にドットを表示させる。